(57)【要約】     【課題】一貫して道糸のシャクリ操作により、籠糸と、重錘と、係止具と、を動作させて撒き餌籠の蓋を開閉させる。また、海中での撒き餌の撒布量まで調整出来ることを可能にした撒き餌籠を提供する。【解決手段】籠本体は、網目円筒状の容器からなり、上端部に開口部と、その上部円周面に籠本体を吊る籠吊り孔と、底部に重錘と、を具備する。この籠本体１の開口部を開閉するために、開口部の上部に蓋本体を設ける。この蓋本体の開閉部材として、係止具と重錘と、籠本体に具備する籠吊り孔と、蓋本体の孔と、を籠糸により係合係止して包括して一体化構造にした撒き餌籠。この撒き餌籠を道糸のシャクリ操作により、蓋を開閉させることを特徴する。    【選択図】  図１
2013243957.tif 000002
【特許請求の範囲】
【請求項１】
上端部に開口部を有し、内部に撒き餌が収容される籠本体と、
前記開口部の上部外側に開閉するための蓋本体と、
前記蓋本体を開閉させる部材の重錘と、
前記蓋本体の移動範囲を調整する係止具を必要に応じて設け、
籠糸により係合係止して包括し、一体化構造にした撒き餌籠を、道糸の操作により籠糸に係わる部材を動作させて開口部の外側で開閉することを特徴とする撒き餌籠。        
【請求項２】
上端部に開口部を有し、内部に撒き餌が収容される籠本体と、
前記開口部の上部内側に開閉するための蓋本体と、
前記蓋本体を開閉させる部材の重錘と、      
を籠糸により係合係止して包括し、一体化構造にした撒き餌籠を、道糸の操作により籠糸に係わる部材を動作させて開口部の内側で開閉することを特徴とする撒き餌籠。
【請求項３】
重錘の上部、道糸側の籠糸に係止具を設けた請求項１及び請求項２に記載の撒き餌籠。
【発明の詳細な説明】
【技術分野】
【０００１】
本発明は、魚釣り用の撒き餌を海中に撒布するために用いる撒き餌籠に関し、特に海中での撒き餌の保持および撒布を一貫して道糸の操作で行うことが出来る撒き餌籠に関する。
【背景技術】
【０００２】
従来の撒き餌籠は、釣りを行う時に魚を集める一つの方法であり、海中に沈めた仕掛けで魚を釣り易くするもので、そのことにより撒き餌を収容した容器を海中に沈降させ、所望する棚に仕掛けと共に沈めて撒布する容器が撒き餌籠である。最近の撒き餌籠では、海中で沈降する途中に撒き餌が無駄に散逸しない様に工夫された蓋付の撒き餌籠が主流である。
【０００３】
例えば、実公開平６−５４７３公報で開示された撒き餌籠は、収納容器の上部の開口に蓋板を取り付け、その容器と蓋板を貫通する作動軸の周面に、蓋板の軸挿通孔より大きい突起を設け、該容器を蓋板で閉じた状態で海中に投入した後、作動軸に衝撃を与え、突起と蓋板を衝合させて蓋板を開放する撒き餌籠である。
【０００４】
また、実願平９−６４２６公報では、金属又は合成樹脂からなる網目状の収餌筒の上部に開口部を設けると共に、底部に重錘を取り付け、上記開口部の端縁に、外方へ湾曲状の吊下環を設けて、そこに蓋体を挿通して開口部を開閉可能にし、この蓋体に餌出孔を設けた撒き餌籠である。          
【先行技術文献】
【特許文献】
【０００５】
【特許文献１】実公開平６−５４７３公報
【特許文献２】実願平９−６４２６公報
【発明の概要】
【発明が解決しようとする課題】
【０００６】
文献１の撒き餌籠では、撒き餌を海中で一度に放出する構造であるため、餌放出時点では集魚効果は大きいが持続性に欠くところとなる。
【０００７】
文献２の撒き餌籠では海中で撒き餌籠を沈降させる際に、蓋孔の口径によっては沈降途中で撒き餌が放出され、また、目詰まりが起こることが予想される。このために所望する棚まで撒き餌を確実に保持収容し、持続して撒布することが容易ではない。
【０００８】
本発明は、文献１、文献２の不具合を解消するために考案したもので、その目的は収容された撒き餌を無駄に散逸することなく、所望の棚まで沈降させ、適応量の撒き餌を撒布する撒き餌籠を提供するものである。
【課題を解決するための手段】
【０００９】
上記に鑑み、本発明の撒き餌籠に関する籠本体は、網目円筒状の容器からなり、上端部に開口部と、その上部に左右対称の籠本体を吊る籠吊り孔Ａと、籠吊り孔Ｂと、底部に重錘Ａと、を具備する。この籠本体の開口部を開閉するための蓋本体を設ける。この蓋本体は、円盤状で形成され、この上面の中心部に蓋本体を吊る蓋吊り環と、中心より両端に左右対称の蓋吊り孔Ａと蓋吊り孔Ｂを設ける。また、蓋本体の開閉部材として重錘Ｂと、係止具と、を設ける。前記による重錘Ｂと、係止具と、籠本体の籠吊り孔Ａと、籠吊り孔Ｂと、蓋本体の蓋吊り孔Ａと、蓋吊り孔Ｂと、蓋吊り環と、の孔を籠糸により係合係止して包括し、一体化構造にして外側に開閉可能とした撒き餌籠を特徴とする。
【００１０】
また、本発明の２案に関する撒き餌籠の籠本体は、網目円筒状の容器からなり、上端部に開口部と、その上部円周面に籠本体を吊る左右対称の籠吊り孔Ａと、籠吊り孔Ｂと、低部に重錘Ａを具備する。この籠本体の開口部を開閉するための蓋本体を設ける。この蓋本体は円盤状で形成され、この上面の中心部に蓋本体を吊る蓋吊り環と、下面に左右対称の蓋吊り孔Ａと、蓋吊り孔Ｂと、を設ける。蓋本体の部材として貫通孔を有する重錘Ｂを設ける。この重錘Ｂと籠吊り孔Ａと、籠吊り孔Ｂと、蓋吊り環と、蓋吊り孔Ａと、蓋吊り孔Ｂと、を籠糸により係合係止して包括し、一体化構造にして内側に開閉可能にした撒き餌籠を特徴とする。
【発明の効果】
【００１１】
上記の発明による撒き餌籠は、道糸の一貫したシャクリ操作により撒き餌籠の上端開口部を蓋本体の開閉により撒き餌を撒布するもので、この撒き餌籠は、深棚における沈降途中であっても無駄な撒き餌の放出もなく保持する。また、撒き餌撒布においては、シャクリ操作の手法により撒布量の調節を可能にする。また、製作に至っては、複雑な構造部材を必要とせず、部材点数も少なく安価に製作することが可能で、取り扱いも容易である。
【図面の簡単な説明】
【００１２】
【図１】本発明の籠本体の全体図
【図２】本発明の籠本体の上部開口部および蓋本体図
【図３】本発明の蓋本体の動作図
【図４】本発明の籠本体と蓋本体の図
【図５】本発明の籠本体の全体図
【図６】本発明の蓋本体の動作図
【発明を実施するための形態】
【００１３】
以下、本発明による撒き餌籠の実施の形態を図１〜図３に基づいて説明する。
尚、図によるのハッチング部は、部材を明確にするために用いている。
【００１４】
本発明の撒き餌籠は網目円筒状の容器からなり、籠本体１は、この上端部に開口部１−ａを有して撒き餌の放出と収容を兼ねる。この籠本体１の上端部の外円周面側に、中心から左右対称の貫通孔を有する籠吊り孔Ａ３と、籠吊り孔Ｂ４とを設けて籠本体１を吊る孔とする。この孔の内と外の角部は、籠糸１０の動作時に発生する摩擦による摩耗を減少させる形状としている。この部材は樹脂や金属等、弾力のある適応素材を使用する。また、底部に籠本体１と嵌合する重錘Ａ２を取り付け、海中での沈降促進と安定を図る。この部材は、比重の大きい鉛等の金属を使用する。また、籠本体１に具備する本体網目５は、軽量化と、海中での撒き餌撒布時に海水を取り入れ、撒き餌と海水を混合させ、容易に撒き餌の放出を可能にする。また、本体網目５による形状、寸法等は、撒き餌の大小や、海水の出入具合を考慮し，適応する網目を使用する。
【００１５】
次に、籠本体１の上部開口部を開閉するために蓋本体６を設ける。この蓋本体６は、円盤状で形成され、この部材は樹脂や金属等、弾力のある適応素材を使用する。この蓋本体６の両端部に蓋本体６を吊る孔と、その中心の上面に蓋吊り環９を設ける。また蓋本体６の端部の円周面に小孔６−ｂを設けて海中での沈降時における下方向より受ける圧力の一部を回避させる。前記小孔６−ｂの口径においては、撒き餌の流出しない口径にしている。この蓋本体６の上面中心部に蓋本体６を吊る蓋吊り環９を設ける。この蓋吊り環９は、蓋本体６と一体化した凸状の構造物で孔口径及び形状等は、蓋本体６の形状と、籠糸１０と、の線径を考慮し適応した寸法形状にしている。前記蓋吊り環９の孔における角部は、籠糸１０の動作時に発生する摩擦による摩耗を減少させる形状としている。
【００１６】
図１、図３による重錘Ｂ１１は、その中心から縦方向に貫通孔を有する比重の大きい金属等の部材からなる。前記重錘Ｂ１１は、籠糸１０が通り、蓋本体６の蓋吊り環９の上部に位置する。この重錘Ｂ１１は、籠糸１０の緊張時には蓋吊り環９の上部に下降し蓋吊り環９の上部に接地し蓋本体６の重しとなり開口部を閉止させる。前記により海中での沈降時における条件下でも同作用となる。この重錘Ｂ１１の形状と重さは、海中での上昇や下降時に受ける蓋本体６の圧力等を考慮し適応する部材を使用する。
【００１７】
図１、図３における籠糸１０は、一本の釣糸で構成され、ナイロン系やカーボン系等の素材からなる。この籠糸１０の端面は、ヨリモドシ金具１４で係止され、片方の端面の籠糸１０は、係止具１２の孔と、重錘Ｂ１１の孔と、蓋本体６の蓋吊り環９の孔と、蓋本体６の蓋吊り孔Ｂ８と、籠吊り孔Ｂ４と、籠吊り孔Ａ３と、蓋吊り孔Ａ７と、を通り再び蓋吊り環９と、重錘Ｂ１１の孔と、係止具１２と、の孔を通りヨリモドシ金具１４で係止される。即ち、籠糸１０は、前記部材の孔を一本の籠糸１０により一巡する。前記籠糸１０を緊張させることで蓋吊り環９の交錯する籠糸１０の作用により蓋本体６は、移動した位置で停止し、保持続ける。
【００１８】
図１、図３による係止具１２の部材は円筒形から成り、この孔に籠糸１０と、係止具ピン１３と、を係合し籠糸１０を固定する。この係止具ピン１３は、樹脂及び金属等の弾力を有する適応素材からなり、両先端は丸く、片方の先端はテーパ形状にすることで容易に挿入が可能になる。また、前記係止具１２は、上下移動と任意の位置での停止保持が可能である。
【００１９】
また、係止具１２の別の形状としては、係止具１２−１のように円筒形部材に複数の孔を設け、その孔に籠糸を通し摩擦等による係止構造も考えられる。また、前記以外の構造機能による係止具も考えられる。
【００２０】
重錘Ｂ１１の重量と形状を大きくする等により、シャクリ操作時における蓋本体6側に復帰時間を短縮することで係止具１２の省略も可能である。
【００２１】
図１による道糸１５は、釣り竿側に係合しており、ヨリモドシ金具１４を介し籠糸１０に連結されている。素材は、ナイロン及びカーボン系を使用する。
【００２２】
前記ヨリモドシ金具１４は、道糸１５および籠糸１０を係止し、また、撒き餌籠による回転等で発生する籠糸１０の撚りを防止し撒き餌籠の安定を図る。この素材は、海水の錆に強いステンレス系の金属素材等を使用する。
【００２３】
次に本発明の撒き餌籠の蓋開閉に関する作用形態を図１、図３にて説明する。  
【００２４】
図１による蓋本体６の開口部１−aを閉止するために籠糸１０を弛緩させる。前記による重錘Ｂ１１は自重により蓋吊り環９の上部に降下し、その荷重により蓋本体６により開口部を閉止することになる。また、籠糸１０を緊張させ、手動により蓋本体を移動させることでも閉止は可能である。
【００２５】
図３による開口部１−ａを開放するには、籠糸１０を緊張させ、蓋本体６を親指と人差し指に挟み目的の位置まで移動させる。前記により蓋本体６は、停止した位置を保持することで撒き餌の挿入が可能になる。
【００２６】
次に、係止具１２及び係止具ピン１３の作用形態を図３に基づいて説明する。
【００２７】
係止具１２は、蓋本体６の移動範囲を調整する部材である。道糸１５のシャクリ操作により、籠糸１０に係わる蓋本体６と、重錘Ｂ１１と、は上下に反応し蓋本体６は上部に移動し開口部１−aとの隙間は広くなる。そのため撒き餌放出時は、撒き餌量の調整が必要になる。この撒き餌量を調整する部材が係止具１２である。上記による係止具１２を移動調整することにより蓋本体６の移動を制限して撒き餌量を制限する。この係止具１２には、係止具ピン１３が内蔵されており籠糸１０を固定する。
【００２８】
撒き餌籠全体の作用形態を図１〜図３に基づいて説明をする。
【００２９】
本発明の撒き餌籠における餌収容時は、籠糸１０を緊張させて蓋本体６の蓋吊り孔７及び蓋吊り孔８の両端を親指と、人差し指と、を用いて挟み上方に持ち上げる。前記蓋本体６は、ヨリモドシ金具１４との間で任意に停止できるため撒き餌の挿入が可能である。
【００３０】
上記により撒き餌収容した後は、上記蓋本体６の停止位置より開口部１−aの上端に接地させる。この蓋本体６の閉止状態を維持しながら海中に沈降移動させて所望する位置で停止させ、道糸１５のシャクリ操作により籠糸１０に弛緩と緊張を与える。前記により蓋本体６の受圧部６−ａは、下方より圧力を受けることで徐々に上方の係止具１２の位置まで移動する。前記により開口部１−aと、蓋本体６と、の隙間の範囲を調整することにより撒き餌の放出量を制限する。また、道糸１５のシャクリ操作による頻度や強弱、及びタイムラグ等によって籠糸１０に緊張と弛緩を作用させ、籠糸１０に係わる重錘Ｂ１１と、係止具１２と、蓋本体６と、の部材により撒き餌量の調節を可能にすることで上記目的が解決される。
【００３１】
以下、２案における本発明の撒き餌籠の実施の形態を図４〜図６に基づき説明をする。尚、図５〜６のハッチング部、部材を明確にするために用いている。
【００３２】
本発明の撒き餌籠を構成する網目状の籠本体１０１は、この上端部に開口部１１５を有して撒き餌の放出と撒布を兼ねている。この籠本体１０１の上部円周面に、中心から左右対称の貫通孔を有する籠吊り孔Ａ１０４と、籠吊り孔Ｂ１０５を設けて籠本体１０１を吊る孔を具備する。前記籠吊り孔Ａ１０４、Ｂ１０５は、籠糸１１１により吊り上げる孔であるため、角部は、滑らかな円弧形状にし摩擦による摩耗を少なくする形状としている。前記籠本体１０１の素材は樹脂及び金属等の弾力のある適応素材を使用する。
【００３３】
前記籠本体１０１の低部に嵌合する重錘Ａ１０２を取り付け、海中での沈降促進と安定を図る。この重錘Ａ１０２は比重の大きい鉛等の金属を使用する。
【００３４】
前記籠本体１０１に具備する本体網目１０３は、海中での籠本体１０１内に海水を取り入れて撒き餌と海水を混合させる。前記により撒き餌撒布時には、スムースに海中に放出される。また、軽量化を図る目的も兼ねている。前記本体網目１０３の形状及び寸法等は、撒き餌の大小や、海水の出入り具合を考慮し、適応する網目を使用する。
【００３５】
次に、籠本体１０１の上部に開口部１１５を開閉するための蓋本体１０８を設ける。この蓋本体１０８は、網目円盤状で形成されている。この蓋網目１１０は、籠本体１０１が海中での沈降時に下方向から受ける圧力を回避するために設けている。また、網目形状は、撒き餌の大小により決定する。この蓋本体１０８の上面中心部に凸状の貫通孔を有する構造物で蓋吊り環１０９と、下面の中心から両側に左右対称の蓋吊り孔Ａ１０６、Ｂ１０７を設けて蓋本体１０８を吊る孔とする。この孔の角部は、籠糸１１１の動作時に発生する摩擦による摩耗を少なくする形状としている。素材は、樹脂や金属等の弾力のある適応素材を使用する。
【００３６】
重錘Ｂ１１２は、籠糸１１１を介し蓋吊り環１０９の上部に位置し、接地することで蓋本体１０８の重しとなる。また、籠糸１１１の作用により蓋本体１０８の開閉に関わる。素材は、金属の比重大きい鉛等を使用し、形状等は、籠本体１０１及び蓋本体１０８の大きさ等を考慮し適応素材を使用する。
【００３７】
籠糸１１１の一端は、ヨリモドシ金具１１３に係止し、他の一端は、重錘Ｂ１１２の孔と、蓋吊り環１０９の孔と、籠吊り孔Ａ１０４と、蓋吊り孔Ａ１０６と、蓋吊り孔Ｂ１０７と、籠吊り孔Ｂ１０５と、再び蓋吊り環１０９と、重錘１１２と、を通りヨリモドシ金具で係止される。即ち、一本の籠糸１１１により籠本体１０１と、蓋本体１０８と、を籠糸１１１により包括し係合係止して一体化構造になる。籠糸１１１と、道糸１１４と、は、ナイロン系やカーボン系等の素材からなる。
【００３８】
ヨリモドシ金具１１３は、海上での風雨や潮流から発生する撒き餌籠の回転による撚り、等を防止する。前記ヨリモドシ金具１１３は、海水等の錆に強いステンレス系の素材を使用する。
【００３９】
次に、本発明の撒き餌籠の蓋開閉に関する作用形態を図４〜６に基づいて説明する。
【００４０】
籠本体１０１の開口部１１５を閉止するには、道糸１１４により上方向に牽引し籠糸１１１を緊張させる。前記による籠本体１０１と蓋本体１０８との孔に係わる籠糸１１１の作用により蓋本体１０８は、開口部１１５上端部で水平姿勢になる。
【００４１】
次に、籠本体１０１の開口部１１５を開放するには、籠本体１０１と蓋本体１０８との孔に係合する籠糸１１１を道糸１１４のシャクリ操作により弛緩させる。前記により重錘Ｂ１１２は、蓋吊り環１０９の頂上部より蓋本体１０８の上面片側に転落し、その重量により蓋本体１０８は、回動し開口部を１１５開放する。前記により道糸のシャクリ操作による頻度や強弱およびタイムラグ等を動作することにより、撒き餌の量を調節出来ることで上記目的が解決される。
【符号の説明】
【００４２】
１      籠本体          
１−ａ  開口部
２      重錘Ａ      
３      籠吊り孔Ａ                      
４      籠吊り孔Ｂ        
５      本体網目
６      蓋本体
６−ａ  受圧部
６−ｂ  小  孔
７      蓋吊り孔Ａ
８      蓋吊り孔Ｂ
９      蓋吊り環
１０    籠糸
１１    重錘Ｂ
１２    係止具
１２−１係止具
１３    係止具ピン                        
１４    ヨリモドシ金具  
１５    道糸  
１０１  籠本体
１０２  重錘Ａ
１０３  本体網目
１０４  籠吊り孔Ａ
１０５  籠吊り孔Ｂ
１０６  蓋吊り孔Ａ
１０７  蓋吊り孔Ｂ
１０８  蓋本体
１０９  蓋吊り環
１１０  蓋網目
１１１  籠糸
１１２  重錘Ｂ
１１３  ヨリモドシ金具
１１４  道糸
１１５  開口部
【図１】
2013243957.tif 000003
【図２】
2013243957.tif 000004
【図３】
2013243957.tif 000005
【図４】
2013243957.tif 000006
【図５】
2013243957.tif 000007
【図６】
2013243957.tif 000008